【手続補正書】
【提出日】平成17年2月1日(2005.2.1)
【手続補正１】
【補正対象書類名】明細書
【補正対象項目名】特許請求の範囲
【補正方法】変更
【補正の内容】
【特許請求の範囲】
【請求項１】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、
前記外出中の被保護者の周辺の人に注意を促すための警報手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、
前記警報手段を制御するための警報制御信号を所定の相手に送信するための警報制御信号送信手段と、を備えており、
前記警報手段は、前記保護者用装置の警報制御信号送信手段から警報制御信号が送信されたとき、作動し又は作動を停止するものである、ことを特徴とする、外出中の被保護者を保護するためのセキュリティシステム。
【請求項２】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、
前記外出中の被保護者の周辺の人に注意を促すための警報手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、  前記被保護者又はその周辺の「映像又は音声情報」を取得し及び／又は送信するように指示するための映像等送信制御信号を所定の相手に送信するための映像等送信制御信号送信手段と、
前記警報手段を制御するための警報制御信号を所定の相手に送信するための警報制御信号送信手段と、を備えており、
前記被保護者用装置に含まれる前記「映像又は音声情報取得手段」及び／又は前記「映像又は音声情報送信手段」は、前記保護者用装置の映像等送信制御信号送信手段から映像等送信制御信号が送信されたとき、前記被保護者又はその周辺の「映像又は音声情報」を取得し及び／又は所定の相手に無線で送信するものであり、
前記被保護者用装置に含まれる前記警報手段は、前記保護者用装置の警報制御信号送信手段から警報制御信号が送信されたとき、作動し又は作動を停止するものである、ことを特徴とする、外出中の被保護者を保護するためのセキュリティシステム。
【請求項３】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、
前記被保護者の現在位置データを取得するための現在位置取得手段と、
前記被保護者の現在位置データを所定の相手に無線で送信するための現在位置送信手段と、
前記外出中の被保護者の周辺の人に注意を促すための警報手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、
前記外出中の被保護者が所持する被保護者用装置の現在位置送信手段から送信された被保護者の現在位置データを無線で受信するための現在位置受信手段と、
前記現在位置受信手段により受信された現在位置データを出力するための現在位置出力手段と、
前記被保護者の現在位置データを取得し及び／又は送信するように指示するための現在位置送信制御信号を所定の相手に送信するための現在位置送信制御信号送信手段と、
前記警報手段を制御するための警報制御信号を所定の相手に送信するための警報制御信号送信手段と、を備えており、
前記被保護者用装置に含まれる前記現在位置取得手段及び／又は前記現在位置送信手段は、前記保護者用装置の現在位置制御信号送信手段から現在位置制御信号が送信されたとき、前記被保護者の現在位置データを取得し及び／又は所定の相手に無線で送信するものであり、
前記被保護者用装置に含まれる前記警報手段は、前記保護者用装置の警報制御信号送信手段から警報制御信号が送信されたとき、作動し又は作動を停止するものである、ことを特徴とする、外出中の被保護者を保護するためのセキュリティシステム。
【請求項４】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、
前記被保護者の現在位置データを取得するための現在位置取得手段と、
前記被保護者の現在位置データを所定の相手に無線で送信するための現在位置送信手段と、
前記外出中の被保護者の周辺の人に注意を促すための警報手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、
前記被保護者又はその周辺の「映像又は音声情報」を取得し及び／又は送信するように指示するための映像等送信制御信号を所定の相手に送信するための映像等送信制御信号送信手段と、
前記外出中の被保護者が所持する被保護者用装置の現在位置送信手段から送信された被保護者の現在位置データを無線で受信するための現在位置受信手段と、
前記現在位置受信手段により受信された現在位置データを出力するための現在位置出力手段と、
前記警報手段を制御するための警報制御信号を所定の相手に送信するための警報制御信号送信手段と、を備えており、
前記被保護者用装置に含まれる前記「映像又は音声情報取得手段」及び／又は前記「映像又は音声情報送信手段」は、前記保護者用装置の映像等送信制御信号送信手段から映像等送信制御信号が送信されたとき、前記被保護者又はその周辺の「映像又は音声情報」を取得し及び／又は所定の相手に無線で送信するものであり、
前記被保護者用装置に含まれる前記警報手段は、前記保護者用装置の警報制御信号送信手段から警報制御信号が送信されたとき、作動し又は作動を停止するものである、ことを特徴とする、外出中の被保護者を保護するためのセキュリティシステム。
【請求項５】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、
前記被保護者の現在位置データを取得するための現在位置取得手段と、
前記被保護者の現在位置データを所定の相手に無線で送信するための現在位置送信手段と、
前記外出中の被保護者の周辺の人に注意を促すための警報手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、
前記被保護者又はその周辺の「映像又は音声情報」を取得し及び／又は送信するように指示するための映像等送信制御信号を所定の相手に送信するための映像等送信制御信号送信手段と、
前記外出中の被保護者が所持する被保護者用装置の現在位置送信手段から送信された被保護者の現在位置データを無線で受信するための現在位置受信手段と、
前記現在位置受信手段により受信された現在位置データを出力するための現在位置出力手段と、
前記被保護者の現在位置データを取得し及び／又は送信するように指示するための現在位置送信制御信号を所定の相手に送信するための現在位置送信制御信号送信手段と、
前記警報手段を制御するための警報制御信号を所定の相手に送信するための警報制御信号送信手段と、を備えており、
前記被保護者用装置に含まれる前記「映像又は音声情報取得手段」及び／又は前記「映像又は音声情報送信手段」は、前記保護者用装置の映像等送信制御信号送信手段から映像等送信制御信号が送信されたとき、前記被保護者又はその周辺の「映像又は音声情報」を取得し及び／又は所定の相手に無線で送信するものであり、
前記被保護者用装置に含まれる前記現在位置取得手段及び／又は前記現在位置送信手段は、前記保護者用装置の現在位置制御信号送信手段から現在位置制御信号が送信されたとき、前記被保護者の現在位置データを取得し及び／又は所定の相手に無線で送信するものであり、
前記被保護者用装置に含まれる前記警報手段は、前記保護者用装置の警報制御信号送信手段から警報制御信号が送信されたとき、作動し又は作動を停止するものである、ことを特徴とする、外出中の被保護者を保護するためのセキュリティシステム。
【請求項６】
請求項１から５までのいずれかにおいて、前記映像又は音声情報取得手段と前記警報手段とは、互いに別体に構成されており、かつ、それぞれが遠隔に在る同一の装置により制御できるように構成されている、ことを特徴とする外出中の被保護者を保護するためのセキュリティシステム。
【請求項７】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、  前記被保護者又はその周辺の「映像又は音声情報」を取得し及び／又は送信するように指示するための映像等送信制御信号を所定の相手に送信するための映像等送信制御信号送信手段と、を備えており、
前記被保護者用装置に含まれる前記「映像又は音声情報取得手段」及び／又は前記「映像又は音声情報送信手段」は、前記保護者用装置の映像等送信制御信号送信手段から映像等送信制御信号が送信されたとき、前記被保護者又はその周辺の「映像又は音声情報」を取得し及び／又は所定の相手に無線で送信するものである、ことを特徴とする、外出中の被保護者を保護するためのセキュリティシステム。
【請求項８】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、
前記被保護者の現在位置データを取得するための現在位置取得手段と、
前記被保護者の現在位置データを所定の相手に無線で送信するための現在位置送信手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、
前記被保護者又はその周辺の「映像又は音声情報」を取得し及び／又は送信するように指示するための映像等送信制御信号を所定の相手に送信するための映像等送信制御信号送信手段と、
前記被保護者の現在位置データを所定の相手から受信するための現在位置受信手段と、  前記現在位置受信手段により受信された現在位置データを出力するための現在位置出力手段と、を備えており、
前記被保護者用装置に含まれる前記「映像又は音声情報取得手段」及び／又は前記「映像又は音声情報送信手段」は、前記保護者用装置の映像等送信制御信号送信手段から映像等送信制御信号が送信されたとき、前記被保護者又はその周辺の「映像又は音声情報」を取得し及び／又は所定の相手に無線で送信するものである、ことを特徴とする、外出中の被保護者を保護するためのセキュリティシステム。
【請求項９】
「外出中の子供や老人などのような、外出中の被保護者」が所持する小型且つ携帯型の被保護者用装置と、「警察官・消防署職員・病院職員・自宅に居る家族などのような、前記外出中の被保護者の保護者であって前記外出中の被保護者と離れた場所に居る保護者」が使用する保護者用装置と、を含む外出中の被保護者を保護するためのセキュリティシステムであって、
前記被保護者用装置は、
前記被保護者又はその周辺の「映像又は音声情報」を取得するための映像又は音声情報取得手段と、
前記映像又は音声情報取得手段により取得された「映像又は音声情報」を所定の相手に無線で送信するための映像又は音声情報送信手段と、
前記被保護者の現在位置データを取得するための現在位置取得手段と、
前記被保護者の現在位置データを所定の相手に無線で送信するための現在位置送信手段と、を備えており、
前記保護者用装置は、
前記被保護者又はその周辺の「映像又は音声情報」を所定の相手から受信するための映像又は音声情報受信手段と、
前記映像又は音声情報受信手段により受信された「映像又は音声情報」を出力するための映像又は音声情報出力手段と、
前記被保護者又はその周辺の「映像又は音声情報」を取得し及び／又は送信するように指示するための映像等送信制御信号を所定の相手に送信するための映像等送信制御信号送信手段と、
前記被保護者の現在位置データを所定の相手から受信するための現在位置受信手段と、  前記現在位置受信手段により受信された現在位置データを出力するための現在位置出力手段と、
前記被保護者の現在位置データを取得し及び／又は送信するように指示するための現在位置送信制御信号を所定の相手に送信するための現在位置送信制御信号送信手段と、を備えており、
前記被保護者用装置に含まれる前記「映像又は音声情報取得手段」及び／又は前記「映像又は音声情報送信手段」は、前記保護者用装置の映像等送信制御信号送信手段から映像等送信制御信号が送信されたとき、前記被保護者又はその周辺の「映像又は音声情報」を取得し及び／又は所定の相手に無線で送信するものであり、
前記被保護者用装置に含まれる前記現在位置取得手段及び／又は前記現在位置送信手段は、前記保護者用装置の現在位置制御信号送信手段から前記現在位置制御信号が送信されたとき、前記被保護者の現在位置データを取得し及び／又は所定の相手に無線で送信するものである、ことを特徴とする、外出中の被保護者を保護するためのセキュリティシステム。